(57)【特許請求の範囲】
【請求項１】
座部（２）と背もたれ部（３）とを有する座席本体（４）と、この座席本体（４）の前部に設けられた座席支持部（６）とを有し、この座席支持部（６）には、自転車のハンドルバー（３３）に引っ掛けられる左右一対の引掛具（３５）が設けられると共に該一対の引掛具（３５）の下方に位置して自転車のハンドルステム（３８）に締結される締結手段（３６）が設けられ、これら一対の引掛具（３５）と締結手段（３６）とを介して座席支持部（６）を自転車のハンドル（３７）に装着するようにした自転車用幼児座席であって、
前記左右一対の引掛具（３５）が座席支持部（６）に対して上下調整可能でかつ前後調整可能に取り付けられ、
座席支持部（６）に前記締結手段（３６）を収納する締結手段収納凹部（２０）が設けられ、該締結手段収納凹部（２０）は上壁（２１）と上壁（２１）の前端部から下方に突出した前壁（２２）とを有し、締結手段収納凹部（２０）の上壁（２１）に後方に没入したステム挿通凹部（２４）が形成され、前壁（２２）に締結手段（３６）の一部が突出可能な開口窓（２５）が設けられていることを特徴とする自転車用幼児座席。
【請求項２】
座部（２）と背もたれ部（３）とを有する座席本体（４）と、この座席本体（４）の前部に設けられた座席支持部（６）とを有し、この座席支持部（６）には、自転車のハンドルバー（３３）に引っ掛けられる左右一対の引掛具（３５）が設けられると共に該一対の引掛具（３５）の下方に位置して自転車のハンドルステム（３８）に締結される締結手段（３６）が設けられ、これら一対の引掛具（３５）と締結手段（３６）とを介して座席支持部（６）を自転車のハンドル（３７）に装着するようにした自転車用幼児座席であって、
前記左右一対の引掛具（３５）が座席支持部（６）に対して上下調整可能でかつ前後調整可能に取り付けられ、
前記締結手段（３６）はハンドルステム（３８）を挟持する第１挟持体（６３）と第２挟持体（６４）とを有し、第１挟持体（６３）は座席支持部（６）に固定され、第１挟持体（６３）に第２挟持体（６４）を嵌合する嵌合凹部（６８）が形成され、嵌合凹部（６８）の中央部にハンドルステム（３８）を係合する第１係合凹部（６９）が形成され、第２挟持体（６４）は嵌合凹部（６８）に第１挟持体（６３）に対して接離移動自在に嵌合
され、第２挟持体（６４）の第１挟持体（６３）側にハンドルステム（３８）を係合する第２係合凹部（７０）が形成され、第１挟持体（６３）と第２挟持体（６４）とはハンドルステム（３８）を挟んで締め付け固定されていることを特徴とする自転車用幼児座席。
【請求項３】
前記締結手段（３６）はハンドルステム（３８）を挟持する第１挟持体（６３）と第２挟持体（６４）とを有し、第１挟持体（６３）は座席支持部（６）に固定され、第１挟持体（６３）に第２挟持体（６４）を嵌合する嵌合凹部（６８）が形成され、嵌合凹部（６８）の中央部にハンドルステム（３８）を係合する第１係合凹部（６９）が形成され、第２挟持体（６４）は嵌合凹部（６８）に第１挟持体（６３）に対して接離移動自在に嵌合され、第２挟持体（６４）の第１挟持体（６３）側にハンドルステム（３８）を係合する第２係合凹部（７０）が形成され、第１挟持体（６３）と第２挟持体（６４）とはハンドルステム（３８）を挟んで締め付け固定されていることを特徴とする請求項１に記載の自転車用幼児座席。
【請求項４】
第１挟持体（６３）の嵌合凹部（６８）の両内壁面又は該内壁面に対向する第２挟持体（６４）の両側の一方に、嵌合凸条（７３）が設けられ、他方に、嵌合凹条（７４）が設けられ、第２挟持体（６４）が第１挟持体（６３）に対して接離移動自在となるように前記嵌合凸部（７３）と嵌合凹条（７４）とが嵌合されていることを特徴とする請求項２又は３に記載の自転車用幼児座席。
【請求項５】
前記座席支持部（６）と前記左右一対の引掛具（３５）との間に、座席支持部（６）に上下調整自在に固定された取付部材（４１）が設けられ、一対の各引掛具（３５）は、フック状に屈曲した引掛部（５１）と引掛部（５１）から後方突出した装着部（５２）とを有し、取付部材（４１）に引掛具取付部（４３）が前方突設されており、引掛具取付部（４３）に装着部（５２）を前後移動自在に係合保持する係合レール（４８）が形成され、装着部（５２）を係合レール（４８）に係合保持して引掛具取付部（４３）に前後調整可能に締め付け固定するようにしたことを特徴とする請求項１〜４のいずれかに記載の自転車用幼児座席。
【請求項６】
前記座席支持部（６）に上下方向の支持杆（２９）が左右一対設けられ、前記取付部材（４１）が左右支持杆（２９）に対応して左右一対設けられ、該各取付部材（４１）は支持杆（２９）を抱持する抱持固定部（４２）と引掛具（３５）が取り付けられる前記引掛具取付部（４３）とを有し、該引掛具取付部（４３）は抱持固定部（４２）の左右両側から前方突出した左右一対の引掛具取付片（４５）を備え、前記装着部（５２）は左右一対の挟持片（５６）を備え、抱持固定部（４２）と一対の引掛具取付片（４５）とに亘る取付部材（４１）の左右両側に前記一対の挟持片（５６）を前後移動自在に係合保持する係合レール（４８）が形成され、一対の挟持片（５６）を係合レール（４８）に係合保持して一対の挟持片（５６）及び一対の引掛具取付片（４５）を締め付けることにより、抱持固定部（４２）が支持杆（２９）に上下調整可能に抱持固定されると共に、一対の引掛具（３５）が各引掛具取付部（４３）にそれぞれ一対の挟持片（５６）を介して前後調整可能に締め付け固定されていることを特徴とする請求項５に記載の自転車用幼児座席。
【請求項７】
座席支持部（６）の前面に複数の係止歯（７９）を有する係止ギヤ（８０）が上下方向に設けられ、取付部材（４１）は固定部（８２）と該固定部（８２）の左右両端部から前方突出した左右一対の引掛具取付部（４３）とを有し、固定部（８２）の背面に係止ギヤ（８０）の係止歯（７９）間に係脱自在に係合する係合爪（８４）が設けられ、係合爪（８４）がいずれかの係止歯（７９）間に係合した状態で固定部（８２）を座席支持部（６）に締め付け固定するようにしたことを特徴とする請求項５に記載の自転車用幼児座席。
【発明の詳細な説明】
【技術分野】
【０００１】
本発明は、自転車のハンドルに装着するようにした自転車用幼児座席に関するものである。
【背景技術】
【０００２】
自転車用幼児座席には、座部と背もたれ部とを有する座席本体と、この座席本体の前部に設けられた座席支持部とを有し、座席支持部に、自転車のハンドルバーに上側から引っ掛けられる左右一対の引掛具が設けられると共に該一対の引掛具の下方に位置して自転車のハンドルステムに締結される締結手段が設けられ、これら一対の引掛具と締結手段とを介して座席支持部を自転車のハンドルに装着するようにしたものがある（例えば、特許文献１、２）。
【０００３】
この種の従来の自転車用幼児座席では、左右引掛具による自転車のハンドルバーを引っ掛ける位置を前後調整可能にしているが、左右引掛具は座席支持部に対して固定されており、上下調整可能にはなっていなかった（例えば、特許文献１）。
また、他の従来の自転車用幼児座席には、座席本体に対して左右引掛具を上下調整可能にしたものもあるが、この場合、左右引掛具は、幼児用のハンドル及びステップ支持脚を有する座席支持部全体が一体となって座席本体に対して上下調整可能とされたものである（例えば、特許文献２）。
【先行技術文献】
【特許文献】
【０００４】
【特許文献１】特開２００５−０６７４２２号公報
【特許文献２】実公昭３８−２２５３３号公報
【発明の概要】
【発明が解決しようとする課題】
【０００５】
従って、前者の従来の場合は、左右引掛具を座席支持部に対して上下調整することができないので、特に外国の自転車にはハンドルバーの形状が種々のものがあるため、ハンドルバーの左右引掛具を引っ掛ける部分が高い位置になる場合もあり、このような場合、左右引掛具をハンドルバーに引っ掛けると、締結手段がハンドルステムの上部側に位置してしまうこととなり、自転車用幼児座席が自転車のハンドルに対して高い位置になり、自転車用幼児座席はその重心が高くなって自転車のハンドルに不安定に装着されるという不具合を生じた。
【０００６】
また、後者の従来の場合は、左右一対の引掛具を上下調整すると、左右一対の引掛具と共に幼児用のハンドルとステップ支持脚とが上下調整されてしまい、自転車用幼児座席に着座する幼児に対して、幼児用のハンドルやステップ支持脚の高さが適合しなくなるという不具合があった。
本発明は上記問題点に鑑み、幼児用のハンドルやステップ支持脚の高さを幼児に対して適合させたままで、自転車のハンドルに対して低い位置に安定に装着できるようにした自転車用幼児座席を提供することを目的としている。
【課題を解決するための手段】
【０００７】
本発明における課題解決のための具体的手段は、次の通りである。
この技術的課題を解決する本発明の技術的手段は、座部２と背もたれ部３とを有する座席本体４と、この座席本体４の前部に設けられた座席支持部６とを有し、この座席支持部６には、自転車のハンドルバー３３に引っ掛けられる左右一対の引掛具３５が設けられると共に該一対の引掛具３５の下方に位置して自転車のハンドルステム３８に締結される締結手段３６が設けられ、これら一対の引掛具３５と締結手段３６とを介して座席支持部６を自転車のハンドル３７に装着するようにした自転車用幼児座席であって、
前記左右一対の引掛具３５が座席支持部６に対して上下調整可能でかつ前後調整可能に取り付けられ、
座席支持部６に前記締結手段３６を収納する締結手段収納凹部２０が設けられ、該締結手段収納凹部２０は上壁２１と上壁２１の前端部から下方に突出した前壁２２とを有し、締結手段収納凹部２０の上壁２１に後方に没入したステム挿通凹部２４が形成され、前壁２２に締結手段３６の一部が突出可能な開口窓２５が設けられている点にある。
【０００８】
また、本発明の他の技術的手段は、座部２と背もたれ部３とを有する座席本体４と、この座席本体４の前部に設けられた座席支持部６とを有し、この座席支持部６には、自転車のハンドルバー３３に引っ掛けられる左右一対の引掛具３５が設けられると共に該一対の引掛具３５の下方に位置して自転車のハンドルステム３８に締結される締結手段３６が設けられ、これら一対の引掛具３５と締結手段３６とを介して座席支持部６を自転車のハンドル３７に装着するようにした自転車用幼児座席であって、
前記左右一対の引掛具３５が座席支持部６に対して上下調整可能でかつ前後調整可能に取り付けられ、
前記締結手段３６はハンドルステム３８を挟持する第１挟持体６３と第２挟持体６４とを有し、第１挟持体６３は座席支持部６に固定され、第１挟持体６３に第２挟持体６４を嵌合する嵌合凹部６８が形成され、嵌合凹部６８の中央部にハンドルステム３８を係合する第１係合凹部６９が形成され、第２挟持体６４は嵌合凹部６８に第１挟持体６３に対して接離移動自在に嵌合され、第２挟持体６４の第１挟持体６３側にハンドルステム３８を係合する第２係合凹部７０が形成され、第１挟持体６３と第２挟持体６４とはハンドルステム３８を挟んで締め付け固定されている点にある。
【０００９】
また、本発明の他の技術的手段は、前記締結手段３６はハンドルステム３８を挟持する第１挟持体６３と第２挟持体６４とを有し、第１挟持体６３は座席支持部６に固定され、第１挟持体６３に第２挟持体６４を嵌合する嵌合凹部６８が形成され、嵌合凹部６８の中央部にハンドルステム３８を係合する第１係合凹部６９が形成され、第２挟持体６４は嵌合凹部６８に第１挟持体６３に対して接離移動自在に嵌合され、第２挟持体６４の第１挟持体６３側にハンドルステム３８を係合する第２係合凹部７０が形成され、第１挟持体６３と第２挟持体６４とはハンドルステム３８を挟んで締め付け固定されている点にある。
【００１０】
また、本発明の他の技術的手段は、第１挟持体６３の嵌合凹部６８の両内壁面又は該内壁面に対向する第２挟持体６４の両側の一方に、嵌合凸条７３が設けられ、他方に、嵌合凹条７４が設けられ、第２挟持体６４が第１挟持体６３に対して接離移動自在となるように前記嵌合凸部７３と嵌合凹条７４とが嵌合されている点にある。
また、本発明の他の技術的手段は、前記座席支持部６と前記左右一対の引掛具３５との間に、座席支持部６に上下調整自在に固定された取付部材４１が設けられ、一対の各引掛具３５は、フック状に屈曲した引掛部５１と引掛部５１から後方突出した装着部５２とを有し、取付部材４１に引掛具取付部４３が前方突設されており、引掛具取付部４３に装着部５２を前後移動自在に係合保持する係合レール４８が形成され、装着部５２を係合レール４８に係合保持して引掛具取付部４３に前後調整可能に締め付け固定するようにした点にある。
【００１１】
また、本発明の他の技術的手段は、前記座席支持部６に上下方向の支持杆２９が左右一対設けられ、前記取付部材４１が左右支持杆２９に対応して左右一対設けられ、該各取付部材４１は支持杆２９を抱持する抱持固定部４２と引掛具３５が取り付けられる前記引掛具取付部４３とを有し、該引掛具取付部４３は抱持固定部４２の左右両側から前方突出した左右一対の引掛具取付片４５を備え、前記装着部５２は左右一対の挟持片５６を備え、抱持固定部４２と一対の引掛具取付片４５とに亘る取付部材４１の左右両側に前記一対の挟持片５６を前後移動自在に係合保持する係合レール４８が形成され、一対の挟持片５６を係合レール４８に係合保持して一対の挟持片５６及び一対の引掛具取付片４５を締め付けることにより、抱持固定部４２が支持杆２９に上下調整可能に抱持固定されると共に、一対の引掛具３５が各引掛具取付部４３にそれぞれ一対の挟持片５６を介して前後調整可能に締め付け固定されている点にある。
【００１２】
また、本発明の他の技術的手段は、座席支持部６の前面に複数の係止歯７９を有する係止ギヤ８０が上下方向に設けられ、取付部材４１は固定部８２と該固定部８２の左右両端部から前方突出した左右一対の引掛具取付部４３とを有し、固定部８２の背面に係止ギヤ８０の係止歯７９間に係脱自在に係合する係合爪８４が設けられ、係合爪８４がいずれかの係止歯７９間に係合した状態で固定部８２を座席支持部６に締め付け固定するようにした点にある。
【発明の効果】
【００１３】
本発明によれば、左右一対の引掛具が座席支持部に対して上下調整可能でかつ前後調整可能に取り付けられているので、ハンドルバーの引掛具を引っ掛ける部分が高い位置になる場合、左右引掛具を座席支持部に対して上方に移動調整することにより、幼児用のハンドルやステップ支持脚の高さを幼児に対して適合させたままで、自転車用幼児座席を自転車のハンドルに対して低い位置に安定に装着することができる。
【図面の簡単な説明】
【００１４】
【図１】本発明の第１実施形態を示す図２のＡ−Ａ線断面図である。
【図２】同座席支持部の斜視図である。
【図３】同図１のＣ−Ｃ線断面の分解図である。
【図４】同図１のＣ−Ｃ線断面図である。
【図５】同図１のＤ−Ｄ線断面の分解図である。
【図６】同図１のＤ−Ｄ線断面図である。
【図７】同図１のＢ−Ｂ線断面図である。
【図８】同引掛具及び取付部材の正面図である。
【図９】同後挟持体及び前挟持体の正面図である。
【図１０】同自転車用幼児座席の斜視図である。
【図１１】同自転車用幼児座席の側面図である。
【図１２】第２実施形態を示す座席支持部の分解斜視図である。
【図１３】同後側から見た座席支持部の分解斜視図である。
【図１４】同引掛具及び取付部材の分解斜視図である。
【図１５】同図１２のＥ−Ｅ線断面図である。
【図１６】引掛具及び取付部材の変形例を示す分解斜視図である。
【図１７】引掛具及び取付部材の他の変形例を示す分解斜視図である。
【発明を実施するための形態】
【００１５】
以下、本発明の実施の形態を図面に基づいて説明する。
図１〜図１１は第１実施形態を示している。図１０及び図１１において、自転車用幼児座席１は、座部２と背もたれ部３とを有する座席本体４を備え、座席本体４の背もたれ部３の上方にヘッドレスト５が高さ調整自在に設けられ、座席本体４の前部に座席支持部６が設けられている。座席本体４は合成樹脂等により座部２と背もたれ部３とが一体に形成され、ヘッドレスト５及び座席支持部６はそれぞれ合成樹脂等に形成されている。
【００１６】
座席支持部６の上部には幼児用のハンドル９が上方突設され、下部の左右両側には左右一対のステップ支持脚１０が下方突設され、座席支持部６の下部のステップ支持脚１０間には図１に示すように取付体１１が後方に突設されており、座席支持部６は取付体１１を介して座席本体４の座部２に前方突出状に取り付けられている。
図１及び図２において、座席支持部６の左右方向中央部に後方に没入した没入凹部１５が形成され、没入凹部１５の上部の左右両側に左右一対の嵌合溝１６が設けられ、没入凹部１５の左右両側の嵌合溝１６下方に後方に没入した左右一対の取付凹部１７が設けられている。座席支持部６の上下中途部に左右一対の挿通孔１９が左右嵌合溝１６に対応して設けられ、座席支持部６の下部に、締結手段３６を収納する後方に没入した締結手段収納凹部２０が設けられている。締結手段収納凹部２０は前方に突出した上壁２１と上壁２１の前端部から下方に突出した前壁２２と左右一対の側壁２３とを有している。締結手段収納凹部２０の上壁２１に後方に没入したステム挿通凹部２４が形成され、前壁２２の左右中央部に開口窓２５が設けられている。
【００１７】
座席支持部６に上下方向の支持杆２９が左右一対設けられている。左右支持杆２９の上部が座席支持部６の嵌合溝１６に嵌合保持され、左右支持杆２９の下側中途部が座席支持部６の挿通孔１９に下方突出状に挿通されて、止ねじ等の固定具３０により座席支持部６に固定されている。左右支持杆２９の下部は締結手段収納凹部２０内に下方突出されている。
【００１８】
座席支持部６には、自転車のハンドルバー３３に上側から引っ掛けられる左右一対の引掛具３５が設けられると共に該一対の引掛具３５の下方に位置して自転車のハンドルステム３８に締結される締結手段３６が設けられ、これら一対の引掛具３５と締結手段３６とを介して座席支持部６を自転車のハンドル３７に装着するようにしている。ここで、自転車のハンドル３７はハンドルバー３３とハンドルステム３８とを備えるものである。
【００１９】
図１〜図９において、座席支持部６と左右一対の引掛具３５との間に、座席支持部６に上下調整自在に固定された取付部材４１が設けられている。この取付部材４１は左右支持杆２９に対応して左右一対設けられている。各取付部材４１は支持杆２９を抱持する平面視Ｃ字形の抱持固定部４２と、引掛具３５が取り付けられる引掛具取付部４３とを有している。
【００２０】
引掛具取付部４３は抱持固定部４２の左右両側から前方突出した左右一対の引掛具取付片４５を備えてなる。左右引掛具取付片４５に左右方向の取付孔４６が互いに対応して設けられている。抱持固定部４２と一対の引掛具取付片４５とに亘る取付部材４１の左右両側に、正面視コの字状の係合レール４８が形成されている。
一対の各引掛具３５は、上方に向けてフック状に屈曲した引掛部５１と引掛部５１から後方突出した装着部５２とを有している。引掛部５１の先端部にはねじ孔５３が形成されており、図１に示す如くここに止ねじ５４等を螺合することにより、ハンドルバー３３に引っ掛けた引掛具３５が外れるのを防止し得るようになっている。装着部５２は引掛部５１の後下部の左右両側から後方に突出した左右一対の挟持片５６を備えてなる。左右挟持片５６に互いに対応して複数（図例では３個）の取付孔５７が前後方向に間隔をおいて設けられている。
【００２１】
左右挟持片５６（装着部５２）を係合レール４８にそれぞれ前後移動自在に係合保持して、取付孔４６，５７に挿通されるボルトナット等の締結具５９により左右挟持片５６を引掛具取付部４３に前後調整可能に締め付け固定するようにしている。即ち、左右挟持片５６の複数の取付孔５７の１つを左右引掛具取付片４５の取付孔４６に一致させて締結具５９で左右挟持片５６と引掛具取付部４３とを締結固定している。これにより、抱持固定部４２が支持杆２９に上下調整可能に抱持固定されると共に、一対の引掛具３５が各引掛具取付部４３にそれぞれ一対の挟持片５６（装着部５２）を介して前後調整可能に締め付け固定され、左右引掛具３５が座席支持部６に対して上下調整可能でかつ前後調整可能に取り付けられているのである。
【００２２】
前記締結手段３６はハンドルステム３８を前後に挟持する後挟持体（第１挟持体）６３と前挟持体（第２挟持体）６４とを有している。後挟持体６３の左右両側に、その上端から下部に亘って円形の嵌合孔部６６が形成され、後挟持体６３は左右一対の嵌合孔部６６を介して左右支持杆２９の下部に外嵌されることにより、座席支持部６の締結手段収納凹部２０内に内嵌固定されている。
【００２３】
後挟持体６３にはその左右中央部の前側に前挟持体６４を嵌合する嵌合凹部６８が形成され、嵌合凹部６８の左右中央部にハンドルステム３８後部に後側から係合する後係合凹部（第１係合凹部）６９が形成され、前挟持体６４は嵌合凹部６８に前側から前後移動自在（後挟持体６３に対して接離移動自在）に嵌合され、その左右中央部の後側にハンドルステム３８前部を係合する前係合凹部（第２係合凹部）７０が形成されている。
【００２４】
後挟持体６３と前挟持体６４とはハンドルステム３８を前後に挟んで複数本（図例では４本）のボルトナット等の締結具７１により前後に締め付け固定され、締結手段収納凹部２０内に収納されている。そして、締結手段３６の一部である前挟持体６４は開口窓２５から前方突出可能になっており、これにより、ハンドルステム３８の径が大きい場合でも、締結手段収納凹部２０内で後挟持体６３と前挟持体６４とでハンドルステム３８を前後
に挟むことができるようになっている。
【００２５】
後挟持体６３の嵌合凹部６８の左右内壁面に前後方向の嵌合凸条７３が設けられ、前挟持体６４の左右両側に前後方向の嵌合凹条７４が設けられ、嵌合凸条７３と嵌合凹条７４とは前後移動自在に（第２挟持体６４が第１挟持体６３に対して接離移動自在となるように）嵌合されている。なお、後挟持体６３の嵌合凹部６８の左右内壁面に嵌合凹条７４を設け、前挟持体６４の左右両側に嵌合凸条７３を設けるようにしてもよい。
【００２６】
上記第１実施形態によれば、自転車用幼児座席１を自転車のハンドル３７に装着する場合、例えば、ハンドルステム３８を後挟持体６３と前挟持体６４とで前後に挟んでこれらを締結具７１によりハンドルステム３８の下部側に締め付け固定する。また、左右支持杆２９に左右取付部材４１の抱持固定部４２をそれぞれ外嵌させた状態で、左右支持杆２９を固定具３０により座席支持部６に固定しておく。そして、自転車用幼児座席１を持ち上げて座席支持部６の没入凹部１５及びステム挿通凹部２４を自転車のハンドルステム３８に外嵌させた状態で、自転車用幼児座席１を下方に降ろして、後挟持体６３と前挟持体６４とを締結手段収納凹部２０内に下側から嵌合させと共に、後挟持体６３をその嵌合孔部６６を介して支持杆２９の下部に嵌合させて、後挟持体６３を座席支持部６の締結手段収納凹部２０に固定する。
【００２７】
その後、ハンドルバー３３に適合するように左右引掛具３５を前後調整しながら締結具５９により取付部材４１の引掛具取付部４３に固定し、該締結具５９をやや緩めた状態で、左右取付部材４１を支持杆２９に対して上下移動させながら、左右引掛具３５の引掛部５１をハンドルバー３３に上側から引っ掛け、この状態で締結具５９を締め付ければよい。これにより、一対の引掛具３５をハンドルバー３３に上側から引っ掛け、自転車のハンドルステム３８を締結手段３６で締結して、座席支持部６を簡単に自転車のハンドル３７に装着することができる。
【００２８】
この際、左右一対の引掛具３５が座席支持部６に対して上下調整可能に取り付けられているので、ハンドルバー３３の引掛具３５を引っ掛ける部分が高い位置になる場合には、左右引掛具３５を座席支持部６に対して上方に移動調整することにより、幼児用のハンドル９やステップ支持脚１０の高さを幼児に対して適合させたままで、自転車用幼児座席１を自転車のハンドル３７に対して低い位置に安定に装着することができる。
【００２９】
また、締結手段３６はハンドルステム３８を前後に挟持する前後挟持体６３を有し、後挟持体６３はその左右中央部の前側に前挟持体６４を嵌合する嵌合凹部６８が形成され、嵌合凹部６８の左右中央部にハンドルステム３８後部に後側から係合する後係合凹部６９が形成され、前挟持体６４は嵌合凹部６８に前側から前後移動自在に嵌合され、その左右中央部の後側にハンドルステム３８前部を係合する前係合凹部７０が設けられているので、ハンドルステム３８後部を後係合凹部６９で係合すると共にハンドルステム３８前部を前係合凹部７０で係合した状態で、後挟持体６３と前挟持体６４とでハンドルステム３８を前後に挟んで締結具７１により前後に簡単かつ強固に締め付け固定することができ、締結手段３６でハンドルステム３８を前後に確実に挟持することができる。
【００３０】
また、後挟持体６３の嵌合凹部６８の左右内壁面又は前挟持体６４の左右両側の一方に、前後方向の嵌合凸条７３が設けられ、他方に、嵌合凸条７３に前後移動自在に嵌合する前後方向の嵌合凹条７４が設けられているので、後挟持体６３と前挟持体６４とでハンドルステム３８を前後に挟んで締め付け固定する際に、後挟持体６３に対して前挟持体６４を上下及び左右にガタ付かないようにスムーズに前後移動させることができ、後挟持体６３と前挟持体６４とでハンドルステム３８を前後に簡単かつ良好に挟着することができる。
【００３１】
また、一対の各引掛具３５は、フック状に屈曲した引掛部５１と引掛部５１から後方突出した装着部５２とを有し、一対の取付部材４１の左右両側に装着部５２を前後移動自在に係合保持する係合レール４８が形成されているので、装着部５２を引掛具取付部４３に対してスムーズに前後調整して、引掛具３５が取付部材４１に対して上下及び左右にガタ付かないように締結具５９で簡単かつ確実に締め付け固定することができる。
【００３２】
また、座席支持部６に上下方向の支持杆２９が左右一対設けられ、取付部材４１が左右
支持杆２９に対応して左右一対設けられ、各取付部材４１は支持杆２９を抱持する抱持固定部４２と引掛具３５が取り付けられる引掛具取付部４３とを有しているので、締結具５９を緩めることにより、一対の取付部材４１乃至一対の引掛具３５を簡単にかつ任意の高さに上下調整することができ、左右引掛具３５の上下調整を簡単になし得る。
【００３３】
また、締結具５９を締め付けることにより、抱持固定部４２が支持杆２９に抱持固定されると共に、一対の引掛具３５が各引掛具取付部４３にそれぞれ一対の挟持片５６を介して前後調整可能に締め付け固定されているので、取付部材４１の支持杆２９への固定と、取付部材４１に対する引掛具３５の固定を同時に簡単になすことができる。
図１２〜図１５は第２実施形態を示している。図１２〜図１５において、座席支持部６に左右幅及び上下幅の大きな１つの取付凹部１７が設けられ、取付凹部１７の下方（座席支持部６の下部）に、締結手段収納凹部２０が設けられている。前記第１実施形態の場合と同様に、締結手段収納凹部２０には前方に突出した上壁２１と上壁２１の前端部から下方に突出した前壁２２と左右一対の側壁２３とが設けられ、上壁２１に後方に没入したステム挿通凹部２４が形成され、締結手段収納凹部２０の前壁２２の左右中央部に開口窓２５が設けられている。
【００３４】
取付凹部１７の底壁１７ａの左右両側に左右一対の上下方向の長孔７７が設けられている。取付凹部１７の底壁１７ａ前面（座席支持部６の前面）であって各長孔７７の左右両側に、複数の係止歯７９を有する係止ギヤ８０が上下方向に左右一対設けられている。係止歯７９は側面視三角形状又は先細りの円弧状に形成され、係止ギヤ８０は連続した鋸歯状又は波形に形成されている。
【００３５】
座席支持部６と一対の引掛具３５との間に１つの取付部材４１が設けられ、取付部材４１は固定部８２と該固定部８２の左右両端部から前方突出した左右一対の引掛具取付部４３とを平面視コの字状に有している。固定部８２に左右一対の長孔７７に対応する左右一対の取付孔８３が設けられ、固定部８２の背面であって各取付孔８３の左右両側に左右一対の係合爪８４が設けられている。係合爪８４は係止歯７９に対応する側面視三角形状又は先細りの円弧状に形成されており、一対の係合爪８４は一対の係止ギヤ８０の係止歯７９間に係脱自在に係合する。
【００３６】
取付板片８６を有する左右一対のナット部材８７が、固定部８２の左右両端部に形成した平面視Ｔ字状の収納溝８８に挿入保持され、前記ナット部材８７を有しかつ長孔７７及び取付孔８３に挿通される一対の締結具９０により、係合爪８４がいずれかの係止歯７９間に係合した状態で固定部８２を座席支持部６に締め付け固定するように構成されている。
【００３７】
締結手段３６は、ハンドルステム３８を前後に挟持する前後挟持体６４，６３を有し、後挟持体６３は締結具９２により前壁２２に締め付け固定されることにより、座席支持部６の締結手段収納凹部２０内に内嵌固定されている。
その他の点は前記第１実施形態の場合と同様の構成である。
上記第２実施形態によれば、一対の締結具９０を緩めることにより、取付部材４１の左右係合爪８４が左右係止ギヤ８０の係止歯７９間に係脱自在になって、一対の締結具９０及び取付部材４１を長孔７７乃至座席支持部６に対して上下移動させることが可能になる。従って、第１実施形態の場合と同様に、左右一対の引掛具３５が座席支持部６に対して上下調整可能になっているので、ハンドルバー３３の引掛具３５を引っ掛ける部分が高い位置になる場合には、左右引掛具３５を座席支持部６に対して上方に移動調整することにより、幼児用のハンドル９やステップ支持脚１０の高さを幼児に対して適合させたままで、自転車用幼児座席１を自転車のハンドル３７に対して低い位置に安定に装着することができる。
【００３８】
なお、前記第２実施形態では、座席支持部６前面における長孔７７の左右両側に係止ギヤ８０が上下方向に左右一対設けられているが、これに代え、上下方向の係止ギヤ８０を長孔７７から大きく離間させて座席支持部６の前面に１又は２以上設けるようにしてもよい。また、長孔７７に代えて複数の取付孔を上下方向に設けるようにしてもよい。
図１６は第２実施形態における取付部材４１及び一対の引掛具３５の変形例を示し、取
付部材４１の左右一対の引掛具取付部４３には、左右両側の下端部を残して左右両側と上側とを削り取った状態になる正面視コの字状の係合レール４８が形成されている。左右一対の引掛具３５は、前方に向けてフック状に屈曲した引掛部５１と引掛部５１から後方突出した装着部５２とを有し、装着部５２は左右一対の挟持片５６と左右挟持片５６の上端部同士を連結する連結片９４とをコの字状に備えてなる。左右挟持片５６には、引掛具取付部４３の取付孔４６に対応する前後方向の長孔９６が形成され、取付孔４６及び長孔９６に挿通される図示省略の締結具により、左右挟持片５６を引掛具取付部４３に締め付け固定するようになっている。その他の点は前記第２実施形態と同様の構成である。
【００３９】
図１７は第２実施形態における取付部材４１及び一対の引掛具３５の他の変形例を示し、取付部材４１の左右一対の引掛具取付部４３に係合レール４８を省略してその前端部に取付孔４６を設けている。左右一対の引掛具３５は、上方に向けてフック状に屈曲した引掛部５１と引掛部５１から後方突出した装着部５２とを有し、装着部５２は、引掛部５１の下部の左右両側から後方に突出した左右一対の挟持片５６を備えてなる。左右挟持片５６の後部に取付孔４６に対応する取付孔５７が１つ設けられ、取付孔４６，５７に挿通される図示省略の締結具により、引掛具３５を締結具廻りに揺動調整可能（前後調整可能）に引掛具取付部４３に締め付け固定するようにしている。その他の点は前記第２実施形態と同様の構成である。
【００４０】
なお、第１実施形態及び第２実施形態の場合、一対の挟持片５６に複数の取付孔５７が形成されているが、これに代え、図１４に鎖線で示すように一対の装着部５２に前後方向の長孔９６を形成するようにしてもよい。
また、第１実施形態及び第２実施形態では、締結手段３６はハンドルステム３８を前後に挟持する第１挟持体６３と第２挟持体６４とを有し、第１挟持体６３と第２挟持体６４とでハンドルステム３８を前後に挟んで締め付け固定するようにしているが、これに代え、第１挟持体６３と第２挟持体６４とでハンドルステム３８を左右に挟んで締め付け固定するようにしてもよい。この場合に、ハンドルステム３８の径が大きいときには、第１挟持体６３の一部又は第１挟持体６３及び第２挟持体６４の一部が開口窓２５から前方突出可能にすればよい。また、締結手段３６はハンドルステム３８を嵌合して又は抱持して締結するものであってもよい。
【符号の説明】
【００４１】
１      自転車用幼児座席
２      座席
３      背もたれ部
４      座席本体
６      座席支持部
２０    締結手段収納凹部
２９    支持杆
３３    ハンドルバー
３５    引掛具
３６    締結手段
３７    自転車のハンドル
３８    ハンドルステム
４１    取付部材
４２    抱持固定部
４３    引掛具取付部
４５    引掛具取付片
４８    係合レール
５１    引掛片
５２    装着部
５６    挟持片
５９    締結具
６３    後挟持体（第１挟持体）
６４    前挟持体（第２挟持体）
６８    嵌合凹部
６９    後係合凹部（第１係合凹部）
７０    前係合凹部（第２係合凹部）
７３    嵌合凸条
７４    嵌合凹条
７７    長孔
７９    係止歯
８０    係止ギヤ
８２    固定部
８３    取付孔
８４    係合爪
９０    締結具
【図１】
0005798779.tif 000002
【図２】
0005798779.tif 000003
【図３】
0005798779.tif 000004
【図４】
0005798779.tif 000005
【図５】
0005798779.tif 000006
【図６】
0005798779.tif 000007
【図７】
0005798779.tif 000008
【図８】
0005798779.tif 000009
【図９】
0005798779.tif 000010
【図１０】
0005798779.tif 000011
【図１１】
0005798779.tif 000012
【図１２】
0005798779.tif 000013
【図１３】
0005798779.tif 000014
【図１４】
0005798779.tif 000015
【図１５】
0005798779.tif 000016
【図１６】
0005798779.tif 000017
【図１７】
0005798779.tif 000018